【事件の表示】
　特許第６５１３２２７号発明「固体ロケットモーター用の推進薬グレイン」の特許異議申立事件について、次のとおり決定する。
【結　論】
　特許第６５１３２２７号の特許請求の範囲を訂正請求書に添付された訂正特許請求の範囲のとおり、訂正後の請求項〔１ないし９〕について訂正することを認める。
　特許第６５１３２２７号の請求項１ないし５、７及び９に係る特許を維持する。
　特許第６５１３２２７号の請求項６及び８に係る特許についての特許の異議申立てを却下する。
【理　由】
第１　手続の経緯
　特許第６５１３２２７号の請求項１ないし９に係る特許についての出願は、２０１５年（平成２７年）７月３日（パリ条約による優先権主張外国庁受理２０１５年２月１２日（ＩＮ）インド共和国）を国際出願日として出願され、平成３１年４月１９日にその特許権の設定登録がされ、令和元年５月１５日に特許掲載公報が発行された。その後、その特許について、令和元年１１月８日に特許異議申立人村山 玉恵（以下、「異議申立人」という。）により特許異議の申立てがされ、当審は、令和元年１２月２３日付け（発送日：令和２年１月６日）で取消理由を通知した。特許権者は、その指定期間内である令和２年４月６日に意見書の提出及び訂正の請求（以下、「本件訂正請求」という。）を行い、その訂正の請求に対して、異議申立人は、令和２年８月５日に意見書を提出した。
第２　訂正の適否について
　本件訂正請求は、特許第６５１３２２７号の特許請求の範囲を本件訂正請求書に添付した訂正特許請求の範囲のとおり、訂正後の請求項１ないし９について訂正することを求めるものであり、その訂正の内容は次のとおりである。
１．請求項１ないし９に係る訂正について
（１）訂正の内容
　ア　訂正事項１
　特許請求の範囲の請求項１に記載の「前端部（１０２）及び後端部（１０３）において中央に配置される孔を有する前記ケース」を、
「前端部（１０２）及び後端部（１０３）において、前端部（１０２）及び後端部（１０３）それぞれの中央に配置される孔を有する前記ケース」
と訂正する。（請求項１の記載を引用する請求項２〜５、７及び９も同様に訂正する。）
　イ　訂正事項２
　特許請求の範囲の請求項１に記載の「軸（１０１ａ）」を、
「前進する方向のモーター軸（１０１ａ）」
と訂正する。（請求項１の記載を引用する請求項２〜５、７及び９も同様に訂正する。）
　ウ　訂正事項３
　特許請求の範囲の請求項１に記載の「前記軸方向貫通孔（１０５）の周りで円形パターンになっている複数の縦方向フィン状キャビティ（１０６ｅ）」を、
「前記軸方向貫通孔（１０５）の周りで放射状に配された複数の軸方向フィン状キャビティ（１０６ｅ）」
と訂正する。（請求項１の記載を引用する請求項２〜５、７及び９も同様に訂正する。）
　エ　訂正事項４
　特許請求の範囲の請求項１に記載の「前記複数の縦方向フィン状キャビティ（１０６ｅ）は、前傾した前縁部（１０７）及び後縁部（１１２）を伴って径方向外側に延びる、」を、
「前記複数の軸方向フィン状キャビティ（１０６ｅ）は、前傾した前縁部（１０７）及び後縁部（１１２）を伴って径方向外側に延びており、前記複数の軸方向フィン状キャビティ（１０６ｅ）は、前記前縁部（１０７）が前記前進する方向のモーター軸（１０１ａ）となす鋭角の角度寸法（１０８ｂ）が、前記後縁部（１１２）が前記前進する方向のモーター軸（１０１ａ）となす角度寸法（１１５）よりも大きいように配置される、」
と訂正する。（請求項１の記載を引用する請求項２〜５、７及び９も同様に訂正する。）
　オ　訂正事項５
　特許請求の範囲の請求項３に記載の「前記複数の縦方向フィン状キャビティ（１０６ｅ）は、その前縁部（１０７ｅ）が、完全に（１０７ｅ、１０７ｉ）、部分的に（１０７ｆ、１０７ｇ）及び正接するように（１０７ｈ）のうち少なくとも１つの形で前記前進する方向のモーター軸（１０１ａ）と鋭角をなして構成される、」を、
「前記複数の軸方向フィン状キャビティの前縁部（１０７ｅ）が、完全に（１０７ｅ、１０７ｉ）若しくは部分的に（１０７ｆ、１０７ｇ）前記前進する方向のモーター軸（１０１ａ）と鋭角をなして構成されるか、または前記軸方向フィン状キャビティ（１０６ｈ）の始点において、前記前進する方向のモーター軸（１０１ａ）と鋭角をなして構成されるか、または前記軸方向フィン状キャビティ（１０６ｈ）の始点において、前記前進する方向のモーター軸（１０１ａ）と鋭角をなす接線を有する円弧（１０７ｈ）を含むように構成される、」
と訂正する。
　カ　訂正事項６
　特許請求の範囲の請求項４に記載の「縦方向フィン状キャビティ（１０６ｅ、１０６ｉ）」を、
「軸方向フィン状キャビティ（１０６ｅ、１０６ｉ）」
と訂正する。
　キ　訂正事項７
　特許請求の範囲の請求項５に記載の「前記複数の縦方向フィン状キャビティ（１０６ｅ）は、前記フィン（１０６ｅ）の先端部に外接する最大仮想円の直径が、」を、
「前記複数の軸方向フィン状キャビティ（１０６ｅ）は、垂直断面視における前記軸方向フィン状キャビティ（１０６ｅ）の先端部に外接する最大仮想円の直径が、」
と訂正する。
　ク　訂正事項８
　特許請求の範囲の請求項６を削除する。
　ケ　訂正事項９
　特許請求の範囲の請求項７の２か所に記載の「縦方向フィン状キャビティ（１０６ｅ）」を、
「軸方向フィン状キャビティ（１０６ｅ）」
と訂正する。
　コ　訂正事項１０
　特許請求の範囲の請求項８を削除する。
　サ　訂正事項１１
　特許請求の範囲の請求項９に記載の「前記複数の縦方向フィン状キャビティ（１０６ｅ）の前記前傾した前縁部（１０７）は、前記前進する方向のモーター軸（１０１ａ）と１つ以上の鋭角の角度寸法をなすように構成される、請求項１に記載の推進薬グレイン。」を、
「前記複数の軸方向フィン状キャビティ（１０６ｅ）の前記前傾した前縁部（１０７）は、前記前進する方向のモーター軸（１０１ａ）と１つ以上の鋭角の角度寸法をなすように構成される、請求項１に記載のロケットモーター。」
と訂正する。
（２）訂正の単位（一群の請求項）について
　訂正前の請求項１ないし９について、請求項２ないし９はいずれも請求項１の記載を直接引用するものであるから、訂正前の請求項１ないし９は、特許法第１２０条の５第４項に規定する一群の請求項であって、上記訂正事項１ないし１１による訂正は、当該一群の請求項について請求されたものである。
（３）訂正の目的の適否、新規事項の有無及び特許請求の範囲の拡張・変更の存否
ア　訂正事項１について
　訂正事項１は、訂正前の請求項１に記載の「前端部（１０２）及び後端部（１０３）において中央に配置される孔を有する前記ケース」において、「中央」が何の「中央」であるのか不明瞭であったところ、「前端部（１０２）及び後端部（１０３）において、前端部（１０２）及び後端部（１０３）それぞれの中央に配置される孔を有する前記ケース」と記載を訂正することにより、請求項１に記載の「中央」の意味を明瞭にするものであるから、訂正事項１による訂正は、特許法第１２０条の５第２項ただし書第３号に規定する明瞭でない記載の釈明を目的とするものである。
　そして、訂正事項１は、本件特許明細書の段落【００２１】及び【００２２】の記載事項並びに図５ａの図示内容に基づくものであるから、願書に添付した明細書、特許請求の範囲又は図面に記載した事項の範囲内のものであり、訂正事項１による訂正は、新規事項の追加には該当せず、また、カテゴリーや対象、目的を変更するものではないから、実質上特許請求の範囲を拡張し、又は変更するものでもない。
　したがって、訂正事項１による訂正は、特許法第１２０条の５第９項で準用する同法第１２６条第５項及び第６項の規定に適合するものである。
イ　訂正事項２について
　訂正事項２は、訂正前の請求項１に記載の「軸（１０１ａ）」が何の軸であるのか不明瞭であったところ、「前進する方向のモーター軸（１０１ａ）」と記載を訂正することにより、請求項１に記載の「モーター軸（１０１ａ）」の意味を明瞭にするものであるから、訂正事項２による訂正は、特許法第１２０条の５第２項ただし書第３号に規定する明瞭でない記載の釈明を目的とするものである。
　そして、訂正事項２は、明細書の段落【０００３】、【００２５】及び【００２６】の記載事項に基づくものであるから、願書に添付した明細書、特許請求の範囲又は図面に記載した事項の範囲内のものであり、訂正事項２による訂正は、新規事項の追加には該当せず、また、カテゴリーや対象、目的を変更するものではないから、実質上特許請求の範囲を拡張し、又は変更するものでもない。
　したがって、訂正事項２による訂正は、特許法第１２０条の５第９項で準用する同法第１２６条第５項及び第６項の規定に適合するものである。
ウ　訂正事項３について
　訂正事項３は、訂正前の請求項１に記載の「前記軸方向貫通孔（１０５）の周りで円形パターンになっている複数の縦方向フィン状キャビティ（１０６ｅ）」において、「円形パターン」がどのような形状のパターンを意味するのか不明瞭であったところ、「前記軸方向貫通孔（１０５）の周りで放射状に配された複数の軸方向フィン状キャビティ（１０６ｅ）」と記載を訂正することにより、請求項１に記載の「フィン状キャビティ（１０６ｅ）」の意味を明瞭にするものであるから、訂正事項３による訂正は、特許法第１２０条の５第２項ただし書第３号に規定する明瞭でない記載の釈明を目的とするものである。
　そして、訂正事項３は、本件特許の段落【００２３】及び【００２７】の記載事項並びに図５ａ及び５ｂの図示内容に基づくものであるから、願書に添付した明細書、特許請求の範囲又は図面に記載した事項の範囲内のものであり、訂正事項３による訂正は、新規事項の追加には該当せず、また、カテゴリーや対象、目的を変更するものではないから、実質上特許請求の範囲を拡張し、又は変更するものでもない。
　したがって、訂正事項３による訂正は、特許法第１２０条の５第９項で準用する同法第１２６条第５項及び第６項の規定に適合するものである。
エ　訂正事項４について
　訂正事項４は、訂正前の請求項１に記載の「前記複数の縦方向フィン状キャビティ（１０６ｅ）」を「前記複数の軸方向フィン状キャビティ（１０６ｅ）」と訂正して「フィン状キャビティ（１０６ｅ）」の記載を明瞭にするとともに、訂正前の請求項６の内容を訂正前の請求項１に加入して、特許請求の範囲を減縮するものであるから、訂正事項４による訂正は、特許法第１２０条の５第２項ただし書第１号に規定する特許請求の範囲の減縮、及び、特許法第１２０条の５第２項ただし書第３号に規定する明瞭でない記載の釈明を目的とするものである。
　そして、訂正事項４は、本件特許の請求項６、段落【００２５】の記載事項並びに図５ａ及び５ｂの図示内容に基づくものであるから、願書に添付した明細書、特許請求の範囲又は図面に記載した事項の範囲内のものであり、訂正事項４による訂正は、新規事項の追加には該当せず、また、カテゴリーや対象、目的を変更するものではないから、実質上特許請求の範囲を拡張し、又は変更するものでもない。
　したがって、訂正事項４による訂正は、特許法第１２０条の５第９項で準用する同法第１２６条第５項及び第６項の規定に適合するものである。
オ　訂正事項５について
　訂正事項５は、訂正前の請求項３に記載の「前記複数の縦方向フィン状キャビティ（１０６ｅ）は、その前縁部（１０７ｅ）が、完全に（１０７ｅ、１０７ｉ）、部分的に（１０７ｆ、１０７ｇ）及び正接するように（１０７ｈ）のうち少なくとも１つの形で前記前進する方向のモーター軸（１０１ａ）と鋭角をなして構成される、」において「正接する」の技術的意味が不明瞭であったところ、「前記複数の軸方向フィン状キャビティの前縁部（１０７ｅ）が、完全に（１０７ｅ、１０７ｉ）若しくは部分的に（１０７ｆ、１０７ｇ）前記前進する方向のモーター軸（１０１ａ）と鋭角をなして構成されるか、または前記軸方向フィン状キャビティ（１０６ｈ）の始点において、前記前進する方向のモーター軸（１０１ａ）と鋭角をなして構成されるか、または前記軸方向フィン状キャビティ（１０６ｈ）の始点において、前記前進する方向のモーター軸（１０１ａ）と鋭角をなす接線を有する円弧（１０７ｈ）を含むように構成される、」と記載を訂正して、「軸方向フィン状キャビティ（１０６ｅ）」の「前縁部（１０７ｅ）」の態様を明瞭にするものであるから、訂正事項５による訂正は、特許法第１２０条の５第２項ただし書第３号に規定する明瞭でない記載の釈明を目的とするものである。
　そして、訂正事項５は、本件特許の段落【００２８】ないし【００３０】の記載事項及び図６ないし８の図示内容に基づくものであるから、願書に添付した明細書、特許請求の範囲又は図面に記載した事項の範囲内のものであり、訂正事項５による訂正は、新規事項の追加には該当せず、また、カテゴリーや対象、目的を変更するものではないから、実質上特許請求の範囲を拡張し、又は変更するものでもない。
　したがって、訂正事項５による訂正は、特許法第１２０条の５第９項で準用する同法第１２６条第５項及び第６項の規定に適合するものである。
カ　訂正事項６及び９について
　訂正事項６は、訂正前の請求項４に記載の「縦方向フィン状キャビティ（１０６ｅ、１０６ｉ）」を「軸方向フィン状キャビティ（１０６ｅ、１０６ｉ）」と訂正し、訂正事項９は、訂正前の請求項７の２か所に記載の「縦方向フィン状キャビティ（１０６ｅ）」を「軸方向フィン状キャビティ（１０６ｅ）」と訂正することにより、いずれも、「フィン状キャビティ」の延在状態を明瞭にするものであるから、訂正事項６及び９による訂正は、特許法第１２０条の５第２項ただし書第３号に規定する明瞭でない記載の釈明を目的とするものである。
　そして、訂正事項６及び９は、本件特許の図５ａ及び５ｂの図示内容に基づくものであるから、願書に添付した明細書、特許請求の範囲又は図面に記載した事項の範囲内のものであり、訂正事項６及び９による訂正は、新規事項の追加には該当せず、また、カテゴリーや対象、目的を変更するものではないから、実質上特許請求の範囲を拡張し、又は変更するものでもない。
　したがって、訂正事項６及び９による訂正は、特許法第１２０条の５第９項で準用する同法第１２６条第５項及び第６項の規定に適合するものである。
キ　訂正事項７について
　訂正事項７は、訂正前の請求項５に記載の「前記複数の縦方向フィン状キャビティ（１０６ｅ）は、前記フィン（１０６ｅ）の先端部に外接する最大仮想円の直径が、」において「フィン（１０６ｅ）の先端部に外接する最大仮想円」の技術的意味が不明瞭であったところ、「前記複数の軸方向フィン状キャビティ（１０６ｅ）は、垂直断面視における前記軸方向フィン状キャビティ（１０６ｅ）の先端部に外接する最大仮想円の直径が、」と訂正することにより、「フィン状キャビティ」の「先端部に外接する最大仮想円」の用語の意味を明瞭にするものであるから、訂正事項７による訂正は、特許法第１２０条の５第２項ただし書第３号に規定する明瞭でない記載の釈明を目的とするものである。
　そして、訂正事項７は、本件特許の段落【００２５】及び【００３２】の記載事項並びに図５ｂ及び１０の図示内容に基づくものであるから、願書に添付した明細書、特許請求の範囲又は図面に記載した事項の範囲内のものであり、訂正事項７による訂正は、新規事項の追加には該当せず、また、カテゴリーや対象、目的を変更するものではないから、実質上特許請求の範囲を拡張し、又は変更するものでもない。
　したがって、訂正事項７による訂正は、特許法第１２０条の５第９項で準用する同法第１２６条第５項及び第６項の規定に適合するものである。
ク　訂正事項８及び１０について
　訂正事項８は、訂正前の請求項６を削除するものであり、訂正事項１０は、訂正前の請求項８を削除するものであるから、訂正事項８及び１０による訂正はいずれも、特許法第１２０条の５第２項ただし書第１号に規定する特許請求の範囲の減縮を目的とするものである。
　そして、訂正事項８及び１０による訂正は、新規事項の追加には該当せず、また、実質上特許請求の範囲を拡張し、又は変更するものでもない。
　したがって、訂正事項８及び１０による訂正は、特許法第１２０条の５第９項で準用する同法第１２６条第５項及び第６項の規定に適合するものである。
ケ　訂正事項１１について
　訂正事項１１は、訂正前の請求項９に記載の「前記複数の縦方向フィン状キャビティ（１０６ｅ）の前記前傾した前縁部（１０７）は、前記前進する方向のモーター軸（１０１ａ）と１つ以上の鋭角の角度寸法をなすように構成される、請求項１に記載の推進薬グレイン。」を「前記複数の軸方向フィン状キャビティ（１０６ｅ）の前記前傾した前縁部（１０７）は、前記前進する方向のモーター軸（１０１ａ）と１つ以上の鋭角の角度寸法をなすように構成される、請求項１に記載のロケットモーター。」と訂正することで、訂正前の請求項９の「推進薬グレイン。」という記載について訂正前の請求項９が引用する請求項１の「ロケットモーター。」に対して明白な誤記が存在していたものを「ロケットモーター。」という記載に正すとともに、「フィン状キャビティ」の延在状態を明瞭にするものであるから、訂正事項１１による訂正は、特許法第１２０条の５第２項ただし書第２号に規定する誤記の訂正、及び、特許法第１２０条の５第２項ただし書第３号に規定する明瞭でない記載の釈明を目的とするものである。
　そして、訂正事項１１は、本件特許の段落【００１９】ないし【００２１】の記載事項並びに図５ａ、５ｂの図示内容に基づくものであるから、願書に添付した明細書、特許請求の範囲又は図面に記載した事項の範囲内のものであり、訂正事項１１による訂正は、新規事項の追加には該当せず、また、カテゴリーや対象、目的を変更するものではないから、実質上特許請求の範囲を拡張し、又は変更するものでもない。
　したがって、訂正事項１１による訂正は、特許法第１２０条の５第９項で準用する同法第１２６条第５項及び第６項の規定に適合するものである。
２　まとめ
　以上のとおりであるから、本件訂正請求による訂正は、特許法第１２０条の５第２項ただし書第１号、第２号及び第３号に掲げる事項を目的とするものであり、かつ、同条第４項、及び、同条第９項において準用する同法第１２６条第５項及び第６項の規定に適合するものである。
　したがって、特許請求の範囲を、訂正請求書に添付された訂正特許請求の範囲のとおり、訂正後の請求項〔１ないし９〕について訂正することを認める。
第３　訂正後の本件発明
１．本件訂正発明
　本件訂正請求により訂正された本件特許の請求項１ないし９に係る発明（以下、「本件訂正発明１」ないし「本件訂正発明９」という。）は、訂正特許請求の範囲の請求項１ないし９に記載された事項により特定される次のとおりのものである。
「【請求項１】
　ロケットモーター（１００）であって、
　内側が絶縁処理されている、ドーム状端部を有する円筒のケース（１０１）であって、前端部（１０２）及び後端部（１０３）において、前端部（１０２）及び後端部（１０３）それぞれの中央に配置される孔を有する前記ケースと、
　前記ケース（１０１）内に充填される固体推進薬グレイン（１０４）と、
を含み、
　前記固体推進薬グレイン（１０４）は、
　該ロケットモーター（１００）の前進する方向のモーター軸（１０１ａ）に沿って前端部（１０２）から後端部（１０３）まで延びる軸方向貫通孔（１０５）と、
　前記軸方向貫通孔（１０５）の周りで放射状に配された複数の軸方向フィン状キャビティ（１０６ｅ）と、
を含み、
　前記複数の軸方向フィン状キャビティ（１０６ｅ）は、前傾した前縁部（１０７）及び後縁部（１１２）を伴って径方向外側に延びており、
　前記複数の軸方向フィン状キャビティ（１０６ｅ）は、前記前縁部（１０７）が前記前進する方向のモーター軸（１０１ａ）となす鋭角の角度寸法（１０８ｂ）が、前記後縁部（１１２）が前記前進する方向のモーター軸（１０１ａ）となす角度寸法（１１５）よりも大きいように配置される、ロケットモーター。
【請求項２】
　前記固体推進薬グレイン（１０４）は、前記ロケットモーター（１００）の前記後端部（１０３）において、カウンターボア（１０９）を更に含む、請求項１に記載のロケットモーター。
【請求項３】
　前記複数の軸方向フィン状キャビティの前縁部（１０７ｅ）が、完全に（１０７ｅ、１０７ｉ）若しくは部分的に（１０７ｆ、１０７ｇ）前記前進する方向のモーター軸（１０１ａ）と鋭角をなして構成されるか、または前記軸方向フィン状キャビティ（１０６ｈ）の始点において、前記前進する方向のモーター軸（１０１ａ）と鋭角をなす接線を有する円弧（１０７ｈ）を含むように構成される、請求項１に記載のロケットモーター。
【請求項４】
　前記軸方向貫通孔（１０５）の周りに配置される前記複数の軸方向フィン状キャビティ（１０６ｅ、１０６ｉ）は、径方向深さ寸法が一様ではない、請求項１に記載のロケットモーター。
【請求項５】
　前記複数の軸方向フィン状キャビティ（１０６ｅ）は、垂直断面視における前記軸方向フィン状キャビティ（１０６ｅ）の先端部に外接する最大仮想円の直径が、ケース（１０１）の前記後端部側の孔（１０３）の直径よりも大きく、かつ前記ケース（１０１）の内径よりも小さいように、前記軸方向貫通孔（１０５）の周りに配置される、請求項１に記載のロケットモーター。
【請求項６】（削除）
【請求項７】
　前記複数の軸方向フィン状キャビティ（１０６ｅ）は、該軸方向フィン状キャビティ（１０６ｅ）の先端弦（１１１）から根元にかけて厚さを増大させて構成される、請求項１に記載のロケットモーター。
【請求項８】（削除）
【請求項９】
　前記複数の軸方向フィン状キャビティ（１０６ｅ）の前記前傾した前縁部（１０７）は、前記前進する方向のモーター軸（１０１ａ）と１つ以上の鋭角の角度寸法をなすように構成される、請求項１に記載のロケットモーター。」
第４　取消理由通知に記載した取消理由について
１　取消理由の概要
　訂正前の請求項１ないし９に係る特許に対して、当審が令和元年１２月２３日付けで特許権者に通知した取消理由の概要は、次のとおりである。
　なお、以下、訂正前の請求項１ないし９に係る発明を「本件発明１」ないし「本件発明９」といい、訂正前の請求項１ないし９に係る特許を「本件発明１に係る特許」ないし「本件発明９に係る特許」という。
（１）取消理由１
　本件発明１ないし９は明確でない。
　よって、本件発明１ないし９に係る特許は、特許法第３６条第６項第２号に規定する要件を満たしていない特許出願に対してなされたものである。
（２）取消理由２
　本件発明１ないし９は、甲第１号証に記載された発明及び甲第２号証に記載された事項、又は、甲第１号証に記載された発明及び甲第３号証に記載された事項に基いて、当業者が容易に発明をすることができたものであるから、本件発明１ないし９に係る特許は、特許法第２９条第２項の規定に違反してされたものである。
　甲第１号証：米国法定発明登録第Ｈ１０８２号
　甲第２号証：ロシア国実用新案第１７７１５号
　甲第３号証：M. Fisher and P.T. Johnsen 「A System Approach to IM for Solid Rocket Motors」 IMEMTS, 11 March 2003
２．甲各号証に記載された発明及び事項
（１）甲第１号証
　取消理由において引用した甲第１号証（米国法定発明登録第Ｈ１０８２号）には、図面（特に、図１ないし４Ｂを参照。）とともに以下の事項が記載されている。仮訳及び下線部は当審による（以下同様。）。また、行数は各ページ左側のスケールによる。
ア　（仮訳）「メインステージの固体推進剤ロケットモーターデザイン
発明の分野
　
本発明は、固体推進薬ロケットモーターに関し、より詳細には弾道ミサイル第１段ロケットモーターに使用するための固体推進薬グレインデザインに関する。
背景技術
　弾道ミサイルの射程距離の拡大と可搬重量能力の要求に牽引されて、固体ロケットモーターの性能を向上させる新しい方法が常に模索されている。性能を改善する方法は、ミサイルの飛行要件（すなわち弾道要件）に推力を調整するための技術、および燃料効率を高めるための技術を含む。本発明のロケットモータグレイン設計は、いくつかのそのような技術の一実施形態である。
発明が解決しようとする課題
　本発明の目的は、動力付き初段飛行の過程で弾道ミサイルの推力吸収能力に最適に適合するようにロケットモーターの推力出力を調整する固体推進薬グレインデザインを提供することである。
　本発明の目的は、動力を与えられた第１段階の飛行中にすべての固体推進薬燃料を効率的に利用することができる固体推進薬グレインデザインを提供することである。
　本発明の目的は、グレインフラクチャーの危険性を最小にする固体推進薬ロケットモーター設計を提供することである。
　本発明の特徴は、長手方向中心孔を有し、グレインの後部に配置された複数の主フィンスロットと同数の副フィンスロットとを有するグレインを利用することである。スロットは半径方向外側に延びており、放射対称のパターンに形成されている。
　本発明の特徴は、粒子の前面近くの領域において粒子中心を通る長手方向の孔の直径を局所的に増大させることである（この孔の局所的拡大は銀エリミネータと呼ばれる）。
　本発明の利点は、推進剤５０の燃焼表面積（Ｓｂ）が、フィンスロットの２組（長径および短径）の長手方向寸法および外側先端径を変えることによって時間に関して調整できることである。
　本発明の利点は、バーンアウト時の推力（第１から第２段目の分離）を高い推力レベルから突然終了させることができ、従って最後の残りの燃料を有効推進に利用し、それによって性能（例えば範囲）を増大させることである。
　本発明の利点は、高い加速度によるグレインの垂れ下がりが先端の柔軟なフラップによって吸収され、それによってペレット化前のグレインの破断の危険性が減少することである。
発明の概要
　したがって、本発明は弾道ミサイル第１段固体推進薬ロケットモーター設計に関し、主にケース（チャンバを含む）、内部絶縁体、保護前端フラップ、推進薬グレイン、イグナイタ、からなる。」（明細書第１欄第１行ないし第２欄第２行）
イ　（仮訳）「好ましい実施形態の説明
　
図１は、本発明の第１（すなわち主）段ミサイルロケットモータ１１の全体斜視図である。
　実際の使用では、第１段の前部スカート２３を第２段（図示せず）に接続する段間シリンダ（図示せず、他の装置の中では第１段点火器発射機構を含む）がある。
図１（または前端部および後端部における側面図である図２及び図３）に示されるロケットモーター１１は、ケース１２（さらに、ドーム状端部を有する円筒状のチャンバ１３、フロントスカート２３、リアスカート２５を含む）、絶縁体１４、固体推進薬グレイン１５、推進薬用中央孔１７、イグナイタ１９、ノズル２１を備えている。
　
図２には、推進薬グレイン１５を含むロケットモーター１１の前端部が示されている。
ウ　（仮訳）「
前方に適合されたリング４３は、局所的に厚くされたチャンバ前壁４５と絶縁体領域４７との間に設けられている。
エ　（仮訳）「
図３及び図４Ａ−４Ｅには、ロケットモーター１１の後部端及び推進薬グレイン１５が示されている。推進薬グレイン１５は、複数のメジャーフィンスロット５７と、間に同数介在するマイナーフィンスロット５９とを備えている。これらのフィンスロットは、図示したように孔１７から径方向外側に向かって対称パターンを有して延在している。好ましい実施形態では、５つのメジャーフィンスロットと５つのマイナーフィンスロットとが図示されている。推進剤グレイン１５には、ノズルキャビティ６１および応力除去溝６３も設けられている。ノズル進入部およびスロート部６５は、ノズルキャビティ６１内に配置され、ノズルの移動およびガス流のための隙間空間６７を残す。
　
局所的に厚くなったチャンバ後壁７１と絶縁体１４の湾曲領域７３との間には、後部アダプタリング６９が設けられている。
　
図２および図３は、その長さ全体にわたって中心孔１７を含む推進剤グレイン１５の重要な縦断面を示す領域Ａ−Ｅを示す。セクションＡは、前述の点火器キャビティの前方部分である。
セクションＥは、ノズル２１のためのスペースおよび推力ベクトル制御のためのその回転を提供するための、中央ボアの後部、すなわちノズルキャビティ６１の拡大図である。
オ　図２及び３の図示内容からみて、チャンバ１３は前進する方向の中心軸ＣＬを有し、チャンバ前壁４５及びチャンバ後壁７１において、チャンバ前壁４５及びチャンバ後壁７１それぞれの中心軸ＣＬ周りの孔を有することが分かる。
カ　図１ないし３の図示内容からみて、推進薬中央孔１７はロケットモーター１１の前進する方向の中心軸ＣＬに沿ってチャンバ前壁４５からチャンバ後壁７１まで延びることが分かる。
キ　図３、４Ａ及び４Ｂの図示内容からみて、複数のメジャーフィンスロット５７及びマイナーフィンスロット５９は、前縁部及び前傾した後縁部を伴って径方向外側に向かって延在することが分かる。
　上記アないしキ並びに図１ないし４Ｂの図示内容からみて、甲第１号証には、次の発明（以下「甲１発明」という。）が記載されているものと認められる。
［甲１発明］
「ロケットモーター１１であって、
　内側に絶縁体１４を備え、ドーム状端部を有する円筒状のチャンバ１３であって、チャンバ前壁４５及びチャンバ後壁７１において、チャンバ前壁４５及びチャンバ後壁７１それぞれの中心軸ＣＬ周りの孔を有する前記チャンバ１３と、
　前記チャンバ１３内に含まれる推進薬グレイン１５と、
を含み、
　前記推進薬グレイン１５は、
　該ロケットモーター１１の前進する方向の中心軸ＣＬに沿ってチャンバ前壁４５からチャンバ後壁７１まで延びる推進薬中央孔１７と、
　前記推進薬中央孔１７の周りで放射状に配された複数のメジャーフィンスロット５７及びマイナーフィンスロット５９と、
を含み、
　前記複数のメジャーフィンスロット５７及びマイナーフィンスロット５９は、前縁部及び前傾した後縁部を伴って径方向外側に向かって延在する、ロケットモーター１１。」
（２）甲第２号証
　取消理由において引用した甲第２号証（ロシア国実用新案第１７７１５号）には、図面（特に、図２及び４を参照。）とともに次の事項（以下「甲２記載事項」という。）が記載されている。
ア　（仮訳）「ロケットエンジンの固体燃料のチャージ
　本発明はロケット技術の分野、すなわちチャネル−スロット装薬の設計に関する。スロットホール電荷の様々な設計が文献、例えば著者DI AbugovaおよびVM Bobylevによる本に広く記載されている。固体ロケットエンジンの理論と計算−モスクワ：Mashinostroenie、1987、p.84〜85、B.V.Orlava、G.Masinga 固体燃料ロケットエンジン設計の熱力学的および弾道学的基礎−M:1968、p.296。
　装填物の設計は、装填物の幾何学的パラメータの適切な選択によって保証される。ロケットエンジンの実質的に任意の必要な圧力−時間（スラスト−時間）図を得ることを可能にする。スリット部分の長さ、スリットの高さ、中央チャネルの長さなど。著者の著書IX Fakhrutdinova、AV Kotelnikovに記載されているチャージの後方（プレノズル）部分のスロットの位置を有するチャージチャネル−スロット形態の既知の設計−固体燃料ロケットエンジンの設計および設計−M:Mashinostroene、1987、p.52。」（明細書第１ページ第１ないし１９行）
イ　（仮訳）「エンジンの要求される弾道特性および広い範囲でそれらを変化させる可能性（エンジンのパラメトリック信頼性）を提供するという点で明らかな利点と共に、試作品に従う設計また、スロット付き切欠きの基部領域に製品に加わる変形および応力が集中するという重大な欠点があり、これはチャージおよびエンジンの機械的信頼性を低下させる。後者は、チャージチャネルの大きな直径および広いスリットノッチを作ることを必要とし、それはエンジンの燃料充填率の減少をもたらし、すなわち、結果として、エンジンの重量に対する推力の比率を減少させる。本実用新案の任務は、カナルギャップグレインのスリットカットの基部の区域における変形（応力）の集中を減少させることである。軸方向円筒形チャネルと装填物の一部に作られた長手方向スロットとを有する既知のTTRD装填物では、スロットカットの頂部における各スロットの長さは、装填物の長さよりも長いという事実により問題は解決される。スロットの高さの半分を超える量でベースを調整し、スロット数が８以下になるようにする。底部よりも多くの切り欠きがある（図２）。これにより、キャビティを応力が集中する領域の上方にすることができる。除荷効果が十分に発揮されるためには、変形（応力）の集中レベルがスロットの底部のゾーンの下半分に局在するので、キャビティの深さは少なくともスロットの高さの半分でなければならない。この場合、スロット数が８未満であれば除荷が特に効果的である。これは実際にはほとんどの場合実装されている。」（明細書第２ページ第１行ないし第３ページ第８行）
ウ　（仮訳）「提案された技術的解決策（図４）の設計は集中領域を持たず、３．１の最大変形レベルはスリット部分の深さにおいて達成される。さらに、新しい設計ソリューション（図４）により、燃料室の容積充填率が３．５％向上した。
　結果として、提案された技術的解決策は、チャンネル−スロットチャージの機械的信頼性のレベルを著しく高め、確立されたチャージ技術の変更を必要とせず、チャンネル−スロットチャージの特性を保持して必要な圧力−時間を提供する。」（第４頁第１３行ないし第５頁第３行）
エ　（仮訳）「軸方向円筒形流路と充填部分に作られた長手方向スリットとを有するロケットエンジンの燃料グレインであって、スリット溝の頂部における各スリットの長さ(Lm) が、ベース部分におけるスリットの長さよりもスリットの高さ(hm) の半分 (L')よりも大きく、且つ、スリットの数は８以下にすることを特徴とする。」（請求項１）
　上記アないしエの記載事項及び図示内容を総合すると、甲第２号証には、次の事項（以下「甲２記載事項」という。）が記載されている。
［甲２記載事項］
「ロケットモーターにおいて、燃料は、軸方向に延びる孔から径方向外側に向かって延在する複数のスリットを含み、前記複数のスリットは、前傾した前縁部を伴って径方向外側に向かって延在すること。」
（３）甲第３号証
　取消理由において引用した甲第３号証（M. Fisher andP.T. Johnsen「A System Approach to IM for Solid Rocket Motors」IMEMTS, 11 March 2003）の「21’’ Pulse Booster」及び「Propellant Grain Designs」と題するページには、図面とともに次の事項（以下「甲３記載事項」という。）が記載されている。
ア　（仮訳）「２１’’パルスブースター
パルス２
・ＨＴＰＥ／ＡＩ／ＡＰ／ＡＮ　推進薬」
・ＢＫＮＯ３イグナイタ
・所定位置に残存するフォームフィン
パルス１
・ＨＴＰＥ／ＡＩ／ＡＰ／ＡＮ　推進薬」
・ＢＫＮＯ３イグナイタ
・高度に構成されたグレインデザイン」（21’’ Pulse Boosterのページ）
イ　（仮訳）「推進薬グレインデザイン
パルス１
高Ａｂ
ターゲットrb=0.7ips@1000psia
中立弾道性
パルス２
６フィンデザイン
鋳造後に残存するフォームフィン」（Propellant Grain Designsのページ）
　上記ア及びイの記載事項及び図示内容を総合すると、甲第３号証には、次の事項（以下「甲３記載事項」という。）が記載されている。
［甲３記載事項］
「ロケットモーターにおいて、燃料は、複数のスリットを含み、前記複数のスリットは、前傾した前縁部を伴って径方向外側に向かって延在すること。」
３．当審の判断
（１）特許法第３６条第６項第２号について
ア　取消理由１における請求項１の「中央」について
　上記取消理由１における訂正前の請求項１の「前端部及び後端部において
中央
　特許権者は、令和２年４月６日提出の意見書において、訂正事項１による訂正で「孔がケースの前端部（１０２）及び後端部（１０３）それぞれの中央に配置されているものであることが明確になった」（４ページ５行ないし６行）と主張している。
　そして、特許権者の上記主張は、本件特許の段落【００２１】ないし【００２２】の記載事項及び図５ａの図示内容により裏付けられているものである。
　したがって、上記取消理由１における請求項１の「中央」が「ケースの前端部（１０２）及び後端部（１０３）それぞれの中央」であることが明瞭になったといえる。
イ　取消理由１における請求項１の「円形パターン」及び「縦方向」について
　上記取消理由１における訂正前の請求項１の「
円形パターン
縦方向
　特許権者は、令和２年４月６日提出の意見書において、訂正事項３による訂正で「前記軸方向貫通孔（１０５）の周りで放射状に配された複数の軸方向フィン状キャビティ（１０６ｅ）」と訂正したこと、及び、「当該訂正により、「複数のフィン状キャビティ」の配置状態及び延在状態が明確になった」（４ページ２１行ないし２２行）ことを主張している。
　そして、特許権者の上記主張は、本件特許の段落【００２３】及び【００２７】の記載事項並びに図５ａ及び５ｂの図示内容により裏付けられているものである。
　したがって、上記取消理由１における請求項１の「円形パターンになっている複数の縦方向フィン状キャビティ」との記載は、訂正事項３による訂正で「放射状に配された複数の軸方向フィン状キャビティ」と訂正されて、明瞭になったといえる。
ウ　取消理由１における請求項３の「正接する」について
　上記取消理由１における訂正前の請求項３の「完全に、部分的に及び
正接
　特許権者は、令和２年４月６日提出の意見書において、「本件発明３は、図６ないし８に示された実施形態に対応している。当該訂正により、フィン状キャビティの前縁部が、完全に（１０７ｅ、１０７ｉ）前進する方向のモーター軸（１０１ａ）と鋭角をなして構成される（図７に対応）、若しくはフィン状キャビティの前縁部が、部分的に（１０７ｆ、１０７ｇ）前進する方向のモーター軸（１０１ａ）と鋭角をなして構成される（図６に対応）、またはフィン状キャビティの前縁部が、前記軸方向フィン状キャビティ（１０６ｈ）の始点において、前記前進する方向のモーター軸（１０１ａ）と鋭角をなす接線を有する円弧（１０７ｈ）を含むように構成される（図８に対応）、のいずれかの形態であることが明確になった」（５ページ５行ないし１３行）と主張している。
　そして、特許権者の上記主張は、本件特許の段落【００２８】ないし【００３０】の記載事項及び図６ないし８の図示内容により裏付けられるものである。
　したがって、上記取消理由１における請求項３の「正接する」との記載は、訂正事項５による訂正で「前記軸方向フィン状キャビティ（１０６ｈ）の始点において、前記前進する方向のモーター軸（１０１ａ）と鋭角をなす接線を有する円弧（１０７ｈ）を含むように構成される」と訂正され、明瞭な記載になったといえる。
エ　取消理由１における請求項５の「フィンの先端部に外接する最大の仮想円の直径」について
　上記取消理由１における訂正前の請求項５の「
フィンの先端部に外接する最大の仮想円
　特許権者は、令和２年４月６日提出の意見書において、「本件発明５は、モーター軸１０１ａに対して直交した垂直断面視における、フィン状キャビティの先端弦の径方向最外側位置を特定したものである。したがって、当該訂正により、フィン状キャビティの先端弦の径方向最外側位置が明確になった」（５ページ２５行ないし２８行）と主張している。
　そして、特許権者の上記主張は、本件特許の段落【００２５】及び【００３２】の記載事項並びに図５ｂ及び１０の図示内容により裏付けられるものである。
　したがって、上記取消理由１における請求項５の「フィンの先端部に外接する最大仮想円」との記載は、訂正事項７による訂正で「垂直断面視における前記軸方向フィン状キャビティ（１０６ｅ）の先端部に外接する最大仮想円」と訂正され、明瞭な記載になったといえる。
オ　取消理由１における請求項８の「フィンの径方向側部に内接する最大円の直径」について
　取消理由１の対象となった請求項８は、訂正事項１０による訂正で削除されたため、請求項８に対する上記取消理由１は解消した。
　よって、本件訂正発明１ないし９は明確であるから、特許法第３６条第６項第２号の取消理由は解消した。
（２）特許法第２９条第２項について
ア　本件訂正発明１について
　本件訂正発明１と甲１発明とを対比すると、甲１発明の「ロケットモーター１１」は、その機能、構成又は技術的意義からみて、本件訂正発明１の「ロケットモーター」に相当し、以下同様に、「チャンバ前壁４５」は「前端部」に、「チャンバ後壁７１」は「後端部」に、「前進する方向の中心軸ＣＬ」は「前進する方向のモーター軸」に、「推進薬中央孔１７」は「軸方向貫通孔」に、それぞれ相当する。
　甲１発明の「チャンバ１３」は本件訂正発明１の「ケース」に相当し、甲１発明において「チャンバ１３」が「内側に絶縁体１４を備え」ることは本件訂正発明１において「ケース」の「内側が絶縁処理されている」ことに相当する。また、甲１発明において「チャンバ１３」が「チャンバ前壁４５及びチャンバ後壁７１において、チャンバ前壁４５及びチャンバ後壁７１それぞれの中心軸ＣＬ周りの孔を有する」ことは本件訂正発明１において「ケース」が「前端部及び後端部において、前端部及び後端部それぞれの中央に配置される孔を有する」ことに相当する。
　甲１発明の「推進薬グレイン１５」は本件訂正発明１の「固体推進薬グレイン」に相当し、甲１発明の「チャンバ１３内に含まれる推進薬グレイン１５」は本件訂正発明１の「ケース内に充填される固体推進薬グレイン」に相当する。
　甲１発明の「メジャーフィンスロット５７及びマイナーフィンスロット５９」は本件訂正発明１の「軸方向フィン状キャビティ」に相当し、甲１発明における「推進薬中央孔１７から径方向外側に向かって対称パターンを有して延在する複数のメジャーフィンスロット５７及びマイナーフィンスロット５９」は本件訂正発明１における「軸方向貫通孔の周りで放射状に配された複数の軸方向フィン状キャビティ」に相当する。
　甲１発明の「複数のメジャーフィンスロット５７及びマイナーフィンスロット５９は、前縁部及び前傾した後縁部を伴って径方向外側に向かって延在する、」と本件訂正発明１の「複数の軸方向フィン状キャビティは、前傾した前縁部及び後縁部を伴って径方向外側に延びており、」とは、「複数の軸方向フィン状キャビティは、前縁部及び前傾した後縁部を伴って径方向外側に延びて」いる、という限りで一致する。
　そうすると、本件訂正発明１と甲１発明との一致点、相違点は、以下のとおりである。
〔一致点〕
「ロケットモーターであって、
　内側が絶縁処理されている、ドーム状端部を有する円筒のケースであって、前端部及び後端部において、前端部及び後端部それぞれの中央に配置される孔を有する前記ケースと、
　前記ケース内に充填される固体推進薬グレインと、
を含み、
　前記固体推進薬グレインは、
　該ロケットモーターの前進する方向のモーター軸に沿って前端部から後端部まで延びる軸方向貫通孔と、
　前記軸方向貫通孔の周りで放射状に配された複数の軸方向フィン状キャビティと、
を含み、
　前記複数の軸方向フィン状キャビティは、前縁部及び前傾した後縁部を伴って径方向外側に延びている、ロケットモーター。」
〔相違点〕
　複数の軸方向フィン状キャビティについて、本件訂正発明１は「前傾した前縁部及び後縁部」を伴って径方向外側に延びており、かつ、「前記前縁部が前記前進する方向のモーター軸となす鋭角の角度寸法が、前記後縁部が前記前進する方向のモーター軸となす角度寸法よりも大きいように配置される」のに対して、甲１発明においては、かかる構成を備えていない点。
　上記相違点について検討する。
　上記甲２記載事項は、「ロケットモーターにおいて、燃料は、軸方向に延びる孔から径方向外側に向かって延在する複数のスリットを含み、前記複数のスリットは、前傾した前縁部を伴って径方向外側に向かって延在すること。」というものであり、上記甲３記載事項は、「ロケットモーターにおいて、燃料は、複数のスリットを含み、前記複数のスリットは、前傾した前縁部を伴って径方向外側に向かって延在すること。」というものである。
　本件訂正発明１と甲２記載事項及び甲３記載事項とを対比すると、甲２記載事項の「ロケットモーター」及び甲３記載事項の「ロケットモーター」はともに、その機能、構成又は技術的意義からみて、本件訂正発明１の「ロケットモーター」に相当し、以下同様に、甲２記載事項の「燃料」及び甲３記載事項の「燃料」は本件訂正発明１の「固体推進薬グレイン」に、甲２記載事項の「複数のスリット」及び甲３記載事項の「複数のスリット」は本件訂正発明１の「複数の軸方向フィン状キャビティ」に、それぞれ相当する。
　したがって、甲２記載事項及び甲３記載事項は、ともに、本件訂正発明１の用語で整理すると、「ロケットモーターにおいて、固体推進薬グレインは、複数の軸方向フィン状キャビティを含み、前記複数の軸方向フィン状キャビティは、前傾した前縁部を伴って径方向外側に向かって延在すること。」といえる。
　しかしながら、甲２記載事項及び甲３記載事項がいずれも「前記複数の軸方向フィン状キャビティは、前傾した前縁部を伴って径方向外側に向かって延在すること。」を備えていたとしても、本件訂正発明１は、複数の軸方向フィン状キャビティについて、「前傾した前縁部及び後縁部」を伴って径方向外側に延びており、かつ、「前記前縁部が前記前進する方向のモーター軸となす鋭角の角度寸法が、前記後縁部が前記前進する方向のモーター軸となす角度寸法よりも大きいように配置される」ことを備えるものであり、上記相違点に係る本件訂正発明１の発明特定事項は、いずれの文献にも記載されていない。
　また、令和元年１２月２３日付け取消理由通知書の３．（９）で示したように、本願の優先日前において、「ロケットモーターにおける固体推進薬の内部孔を形成する中子や心棒に、引き抜き性を考慮して勾配を付すこと」は、例えば甲第８号証（特開２０１３−４０５８８号公報）の段落【０００８】及び甲第９号証（G. Sutton and O. Biblarz「Rocket Propulsion Elements」Seven Edition 2001）の第５１４ページ１ないし１０行に記載されるように周知技術（以下、「周知技術」という。）であったとしても、複数の軸方向フィン状キャビティについて、「前傾した前縁部及び後縁部」を伴って径方向外側に延びており、かつ、「前記前縁部が前記前進する方向のモーター軸となす鋭角の角度寸法が、前記後縁部が前記前進する方向のモーター軸となす角度寸法よりも大きいように配置される」ことまでは当業者にとって周知技術であったというべき証拠は無く、また、当業者が適宜決定し得た設計的な事項であるともいえない。
　そして、本件訂正発明１は、当該発明特定事項を備えることにより、本件特許明細書の段落【００３４】及び【００３５】に記載されるように、異なる性能要求に応えるための、燃焼表面積後退プロファイルの調整の柔軟性をもたらすとともに、小型ロケットモーターを実施可能にするような高い推進薬の体積充填密度が可能になるという、顕著な作用効果を得られるものである。
　したがって、本件訂正発明１は、甲１発明、甲２記載事項及び周知技術に基いて、又は、甲１発明、甲３記載事項及び周知技術に基いて、当業者が容易に発明をすることができたものではない。
　以上のとおりであるから、本件訂正後の請求項１に係る特許は、特許法第２９条第２項の規定に違反してされたものとはいえず、同法第１１３条第２号に該当するものではない。
イ　本件訂正発明２ないし５、７及び９について
　本件訂正発明２ないし５、７及び９は、本件訂正発明１の発明特定事項の全てを発明特定事項とし、さらに技術的な限定を加える事項を発明特定事項とする発明であるから、上記アで検討した理由と同様の理由により、甲１発明、甲２記載事項及び周知技術に基いて、又は、甲１発明、甲３記載事項及び周知技術に基いて、当業者が容易に発明をすることができたものではない。
（３）異議申立人の意見について
　異議申立人は、令和２年８月５日の意見書において、取消理由２（進歩性）に関して概略次の内容を主張している。
「（ニ）（中略）
　特許権者の反論の要点は、「前進する方向のモーター軸に対する前縁部の傾斜角度を後縁部の傾斜角度よりも大きくする構成は、「小型ロケットモーターの推進薬の高い体積充填密度を可能にする」という課題を解決するための構成であり、単に型の引き抜き性を良好にすることのみを考慮した構成でない。」という点にあると把握されます。しかしながら、本件特許明細書には、「前進する方向のモーター軸に対する前縁部の傾斜角度を後縁部の傾斜角度よりも大きくすること」が、どのようにして「推進薬の高い体積充填密度を可能にすること」に繋がるのかについて、何ら説明されておりません。特許権者自身も、このことについて何ら具体的に説明しておりません。
（ホ）
　本件特許明細書には、「前進する方向のモーター軸に対する前縁部の傾斜角度を後縁部の傾斜角度よりも大きくすること」について、段落［００２５］において、その構成だけを簡単に記載しているだけであり、その構成により奏される作用効果については何ら記載されておりません。本件明細書の段落［００１９］に、『本開示は、ロケットモーターにおける推進薬グレイン形状に関する。１つの実施形態において、ケースボンディングされる（ｃａｓｅ−ｂｏｎｄｅｄ）同軸一体型の固体ロケット推進薬グレインは、
軸方向の円錐キャビティ及び／又は円筒キャビティの周りで円形パターンになっている、複数の前傾した深溝の縦方向フィン状キャビティを有する。これにより、
高い体積充填密度がもたらされる。
（ヘ）
　仮に、本件特許の図５ａにおいて、「前縁部（１０７）が前進する方向のモーター軸（１０１ａ）となす鋭角の角度寸法（１０８ｂ）が、後縁部（１１２）が前進する方向のモーター軸（１０１ａ）となす角度寸法（１１５）よりも
小さいように配置
大きいように配置
（ト）
　以上より、訂正後の本件発明１における特徴事項（『前記複数の軸方向フィン状キャビティ（１０６ｅ）は、前記前縁部（１０７）が前記前進する方向のモーター軸（１０１ａ）となす鋭角の角度寸法（１０８ｂ）が、前記後縁部（１１２）が前記前進する方向のモーター軸（１０１ａ）となす角度寸法（１１５）よりも大きいように配置される』）は、甲第８号証、甲第９号証に開示されている周知技術より当業者が容易に想到し得たものに過ぎません。したがって、訂正後の本件発明１は、甲１発明、甲２記載事項及び周知技術、又は、甲１発明、甲３記載事項及び周知技術から当業者が容易に想到し得た発明であり、取り消されるべきものです。」（異議申立人の意見書３ページ１８行ないし５ページ１０行）
　しかしながら、上記アで述べたように、本願の優先日前において、「ロケットモーターにおける固体推進薬の内部孔を形成する中子や心棒に、引き抜き性を考慮して勾配を付すこと」が周知技術（甲第８号証の段落【０００８】及び甲第９号証の第５１４ページ１ないし１０行参照。）であったとしても、甲第８号証及び甲第９号証の開示内容からは、複数の軸方向フィン状キャビティについて、「前傾した前縁部及び後縁部」を伴って径方向外側に延びており、かつ、「前記前縁部が前記前進する方向のモーター軸となす鋭角の角度寸法が、前記後縁部が前記前進する方向のモーター軸となす角度寸法よりも大きいように配置される」ことまで当業者にとって周知技術であるとはいえないし、ほかに周知技術であったというべき証拠も無く、また、当業者が適宜決定し得た設計的な事項であるともいえない。そして、本件訂正発明１は、甲１発明、甲２記載事項及び周知技術に基いて、又は、甲１発明、甲３記載事項及び周知技術に基いて、当業者が容易に発明をすることができたものではない。
第５　取消理由通知に採用しなかった特許異議申立理由について
　異議申立人は、特許異議申立書において、本件発明１ないし９は、甲第１号証に記載された発明及び甲第２ないし３、８ないし９号証に記載された事項に加え、特許異議申立書に添付された、甲第４号証（木村逸郎,「ロケット工学」（養賢堂発行）, 488ページないし489ページ）、甲第５号証（Alain Davenas,「SOLID ROCKET PROPULSION TECHNOLOGY」（PERGAMON PRESS発行）, 40ページ）、甲第６号証（GORAN MARJANOVIC外2名,「PROGRAM “SVOD” FOR SOLID PROPELLANT GRAIN DESIGN」5th INTERNATIONAL SCIENTIFIC CONFERENCE ON DEFENSIVE TECHNOLOGIES OTEH 2012にて頒布,1ないし2ページ）、甲第７号証（Eric Allcorn外4名,「Development of an experimental Apparatus for Ablative Nanocomposites Testing」AIAA/ASME/SAE/ASEE Joint Propulsion Conference  Exhibitにて頒布, 2ページ）の各々に記載された事項に基いて、当業者が容易に発明をすることができたものである旨を主張する。
　しかしながら、上記甲第４号証ないし甲第７号証には、上記「第４　３（２）ア」で示した相違点に係る事項について記載も示唆もされていない。
　したがって、上記主張を採用することはできない。
第６　むすび
　上記第４及び第５のとおりであるから、令和元年１２月２３日付け取消理由通知に記載した取消理由及び特許異議申立書に記載した特許異議申立理由によっては、本件訂正後の請求項１ないし５、７及び９に係る特許を取り消すことはできない。
　また、他に本件訂正後の請求項１ないし５、７及び９に係る特許を取り消すべき理由を発見しない。
　そして、本件特許の請求項６及び８は、本件訂正請求が認められることにより削除されたため、本件特許の請求項６及び８に係る特許に対して異議申立人がした特許異議の申立てについては、その対象となる請求項が存在しない。よって、本件特許の請求項６及び８についての特許異議の申立ては、不適法であって、その補正をすることができないものであるから、特許法第１２０条の８第１項で準用する同法第１３５条の規定により、却下すべきものである。
　したがって、結論のとおり決定する。
【異議決定日】
令和２年９月２９日（２０２０．９．２９）
【訂正の要旨】
審決（決定）の【理由】欄参照。
（５７）【特許請求の範囲】
　【請求項１】
　ロケットモーター（１００）であって、
　内側が絶縁処理されている、ドーム状端部を有する円筒のケース（１０１）であって、前端部（１０２）及び後端部（１０３）において
、前端部（１０２）及び後端部（１０３）それぞれの
　前記ケース（１０１）内に充填される固体推進薬グレイン（１０４）と、
を含み、
　前記固体推進薬グレイン（１０４）は、
　該ロケットモーター（１００）の
前進する方向のモーター
　前記軸方向貫通孔（１０５）の周りで
放射状に配された
軸方向
を含み、
　前記複数の
軸方向
ており
　
前記複数の軸方向フィン状キャビティ（１０６ｅ）は、前記前縁部（１０７）が前記前進する方向のモーター軸（１０１ａ）となす鋭角の角度寸法（１０８ｂ）が、前記後縁部（１１２）が前記前進する方向のモーター軸（１０１ａ）となす角度寸法（１１５）よりも大きいように配置される、
　【請求項２】
　前記固体推進薬グレイン（１０４）は、前記ロケットモーター（１００）の前記後端部（１０３）において、カウンターボア（１０９）を更に含む、請求項１に記載のロケットモーター。
　【請求項３】
　前記複数の
軸方向
の
若しくは
前記
か
または前記軸方向フィン状キャビティ（１０６ｈ）の始点において、前記前進する方向のモーター軸（１０１ａ）と鋭角をなす接線を有する円弧（１０７ｈ）を含むように構成される、
　【請求項４】
　前記軸方向貫通孔（１０５）の周りに配置される前記複数の
軸方向
　【請求項５】
　前記複数の
軸方向
垂直断面視における
軸方向
状キャビティ
　【請求項６】（削除）
　【請求項７】
　前記複数の
軸方向
軸方向
　【請求項８】（削除）
　【請求項９】
　前記複数の
軸方向
ロケットモーター